(57)【要約】      （修正有）【課題】水道用蛇口等に簡易に取付け、低価格な微細気泡生成器を提供する。【解決手段】微細気泡生成器を水道用蛇口等に簡易に取付けるため、蛇口部のネジに合わせて、微細気泡生成器本体１にネジを施し、取付けを容易にし、また、最小サイズとするために、旋回流自吸気体式の生成方法を活用し、二次処理に最善の工夫をする。二次処理室導入口部４に突起を施し、更に、球形永久磁石５を置く事で気泡の微細化と比率を上げる。最後に旋回流の整流と微細する、泡沫器６を通過し気泡径が５０μｍ以下の微細気泡を多量に含む水道水を使用できる。【選択図】図２
0003145914.tif 000002
【実用新案登録請求の範囲】
【請求項１】
水道水蛇口先端ネジ部に、旋回流吸気式微細気泡生成器をネジ等で、直接取付けることを可能とし、通常の使用操作で微細気泡水を生成、採水、使用が容易にできる事を特徴とする水道蛇口取付け型微細気泡生成器。
【考案の詳細な説明】
【技術分野】
【０００１】本考案は、水道水に微細気泡を多量に生成する、微細気泡生成器に関するものである。
【背景技術】
【０００２】近年、微細気泡濃度の高い水が、河川、湖沼等の水質浄化や精密部品の洗浄、また生物の生理活性、代謝促進、殺菌など多方面に開発、利用されている。
【考案の開示】
【考案が解決しようとする課題】
【０００３】前記、微細気泡生成器等では、その生成の為に、電動ポンプ等の動力エネルギーを使用する。また、配管やホース等の装置、部品も必要等で複雑、且つ、高価格となるため一般家庭には不向きな点があった。
【課題を解決するための手段】
【０００４】前記課題を解決するため、本考案は一般家庭等の水道蛇口先端等に、簡易に取付けできるように、気泡生成器の上部液流導入口を蛇口ネジに合わせる。次に微細気泡の生成効率を上げるために気泡の二次処理及び、最後に泡沫器を通過させることで簡便、小型化、高性能、低価格の課題を解決するための手段とした。
【考案の効果】
【０００５】本考案によれば、一般家庭水道蛇口等に簡易に取付ける事が出来、通常の水道水を使用する操作で微細気泡水を採水できる。また、ホース等を接続し、離れた場所で使用することも出来る。手洗いによる除菌、洗顔、洗濯、浴用等家庭水の全てに使用できる。また、その使用後の排水は溶存酸素濃度が高い為、水質浄化効果も考えられ、健康面だけでなく環境の面でも良い効果が考察される。
【考案を実施するための最良の形態】
【０００６】本考案を実施するために、水道蛇口吐水管先端泡沫器の取付けネジ部等に合わせて微細気泡生成器本体上部の水道水導入口に適合するネジを設けている。水道圧力水で旋回流遠心力により自吸気するために、本体内に液流導入の空間を設け、円筒形上蓋ありの気液混合室を配置する。その中心上部には吸気孔があり、本体横上部の吸気孔に通じている。円筒形気液混合室縦中心部には旋回液流導入するため円周接線方向に導入口が開いている。次に、混合気液剪断微細化出口孔と二次処理室上蓋を兼ねた、リング形の仕切り板を配置する。この仕切り板の裏、二次処理室面には再剪断処理のため、三角形の突起を放射状に設けているが、剪断に適した形状なら例えば四角でもよい。続きその下に、球形で中心を貫通する小孔の開いた永久磁石を固定しないで、旋回流にて自由に回転するように、低部のみ受けるように置くことで、減圧と新たな空洞現象（キャビテーション）を発生する。更に、微細化と旋回流を整流するため、網内蔵の泡沫器を通過させて使用吐水口とする。
【実施例】
【０００７】以下、添え付け図面に従って実施例を説明する。本体１、２、及び、３、４、は耐久性樹脂、または金属素材を使用。１は本体上部であり、１ａは水道水液流の導入口である。液流を３の気液混合室導入口３ａより導入し、その内壁面に沿い、旋回流となり遠心力が起こる。その中心部には吸引力が発生し、空気等気体を吸引する。【０００８】旋回液流が気体を吸引し、４ａの一次出口方向に下降、出口付近は下からの逆吸引力との鬩ぎ合いで剪断され微細気泡となる。しかし、出口周り裏面部に出る気泡は剪断が弱く、気泡径が大きいものが出るため、４ａ裏面の三角突起に、旋回液流を衝突させて剪断、微細化する。更に、５の永久磁石により減圧、乱流等で空洞現象（キャビテーション）が発生し、発泡を促進する。【０００９】最終処理として、６の泡沫器を通過することで、更なる微細化と旋回流を整流して使用水とする。
【図面の簡単な説明】
【００１０】
【図１】本考案の水道蛇口取付け型微細気泡生成器の取付け実施例を示す図である。
【図２】本微細気泡生成器の正面断面図である。
【図３】本微細気泡生成器の平面図である。
【図４】図２におけるＢ−Ｂ断面矢視図である。
【図５】符号４仕切り板の詳細図である。
【符号の説明】
【００１１】  １  本体上部                              ９  旋回流
１ａ本体液流導入口                        １０  気柱
２  本体下部                              １１  水栓
３  気液混合室                            Ｃ  二次処理部範囲
３ａ混合室液流導入口
４  仕切り板
４ａ一次出口
５  永久磁石
６  泡沫器
７  気体導入口（気泡径調整ネジ）
８  液流
【図１】
0003145914.tif 000003
【図２】
0003145914.tif 000004
【図３】
0003145914.tif 000005
【図４】
0003145914.tif 000006
【図５】
0003145914.tif 000007
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
ネジを備え、水道蛇口先端に設けられたネジ部に直接取付けることを可能とした水道蛇口取付け型微細気泡生成器
【手続補正２】
【補正対象書類名】明細書
【補正対象項目名】０００６
【補正方法】変更
【補正の内容】
【０００６】本考案を実施するために、水道蛇口からの縦水流を横旋回水流に変換し、水道蛇口の大きさに合わせ小型で高性能とするため、外径３５ｍｍ、長さ５５ｍｍ内とし、二重円筒形構造とした。水道蛇口吐水管先端泡沫器の取付けネジ部に合わせ、微細気泡生成器本体上部の水道水導入口に適合するネジを設ける。ネジ部の長さはネジ三山程度とする。その下に気液混合室との境界のため水平な仕切り壁を設け、その仕切り壁内に外面より吸気用の横穴を中心部まで開ける。入口には気体流量調整のための子螺子を付ける。本体上部ネジ部内側には水道水導入のため小穴を垂直に開ける。穴径、及びその数は吸気孔通路を妨げないようにする。水道圧力水で旋回流遠心力を発生、負圧による吸気を促すために、外筒本体内に液流導入する隙間を設けて外筒本体より小径の円筒形で上蓋ありの内筒（気液混合室）を外筒本体内上部の勘合部に挿入する。内筒中心上部には気体吸気孔が垂直に開いている。外筒との勘合部はゴムパッキンで液流を遮断する。また、内筒の縦中心よりやや下部にはその円周接線方向に四角形の液流導入口を設ける。その大きさは内筒内径の８分の１程度とし、縦は内筒内長の５分の１程度が良い。入口を４角形にするのは内壁に沿うような液層旋回流を作り、丸形に比べ負圧求心力が強まると考察される。次に、混合気液剪断微細化出口孔と二次処理室上蓋を兼ねた、リング形の仕切り板を配置する。混合気液剪断微細化出口孔の大きさは液流導入口面積と同じ位にする。この仕切り板の裏面、二次処理室上面には剪断再処理のため、３角形の突起が放射状に設けているが、剪断に適した形状であれば例えば４角等でも良い。つづいて、この仕切り板と球形で中心を貫通する小穴の空いた永久磁石の保持、及び泡沫器を取付けるネジ及び上部に接続するネジを設けた本体下部を本体上部に組み付ける。このとき各接続部にはゴムパッキンを備えることは漏れ防止上必然である。本体下部の出口穴は水量により面積や形を変えても良い。次に、旋回流の整流のため泡沫器を付けて最終使用吐水口とする。泡沫器の網目や枚数はあまりに目の細い網や数が多いと旋回に対して抵抗があり微細気泡が生成出来ないため注意が必要である。
【手続補正３】
【補正対象書類名】明細書
【補正対象項目名】０００９
【補正方法】変更
【補正の内容】
【０００９】最終処理として、６の泡沫器を通過することで、更なる微細化と旋回流を整流して使用水とする。尚、水圧等により気泡径を調整子螺子７で微調整する。
【手続補正４】
【補正対象書類名】明細書
【補正対象項目名】００１０
【補正方法】変更
【補正の内容】
【００１０】
【図１】本考案の水道蛇口取付け型微細気泡生成器の取付け実施例を示す図である。
【図２】本微細気泡生成器の正面断面図である。
【図３】本微細気泡生成器の平面図である。
【図４】図２におけるＢ−Ｂ断面矢視図である。
【図５】符号４仕切り板の詳細図である。
【図６】本考案の水道蛇口取付け型微細気泡生成器の分解見取図である。
【手続補正５】
【補正対象書類名】明細書
【補正対象項目名】００１１
【補正方法】変更
【補正の内容】
【００１１】  １    本体上部                                ８    液流
１ａ  本体液流導入口                          ９    旋回流
２    本体下部                              １０    気柱
３    気液混合室（内筒）                    １１    水栓器具
３ａ  混合室液流導入口                      １２    ゴムパッキング
４    仕切り板                                Ｃ    二次処理部範囲
４ａ  一次出口
４ｂ  三角形突起
５    永久磁石
５ａ  小穴
６    泡沫器
７    気泡径調整ネジ
７ａ  気体導入口
【手続補正６】
【補正対象書類名】図面
【補正対象項目名】全図
【補正方法】変更
【補正の内容】
【図１】
0003145914.tif 000008
【図２】
0003145914.tif 000009
【図３】
0003145914.tif 000010
【図４】
0003145914.tif 000011
【図５】
0003145914.tif 000012
【図６】
0003145914.tif 000013